(57)【要約】【課題】孔開き物品を効率良く梱包，開梱することができ、包材使用量が少なく、搬送後はコンパクトな状態で返送可能な新規な紙製梱包容器を提供する。【解決手段】底トレー３に複数立ち上げた紙管製の支柱１に被梱包物１００を挿し通した後、蓋部材５を覆い被せることで、底トレー３と蓋部材５間に立ち上がる複数の支柱１に挿し通した被梱包物１００が多数積重なる状態で保持され、周囲を包装用フィルム８で覆った、包材使用量の少ないパッケージＡを構成し、より多くの被梱包物（孔開き物品）を搬送、保管することができる。各支柱１に被梱包物を挿し通すだけで梱包が行え、開梱時は蓋部材５を外して各支柱１から被梱包物を抜き出せば良いので、梱包作業、開梱作業を効率良く行える。搬送後は各支柱１、底トレー３、蓋部材５に分解してコンパクトな状態で出荷元等に返送することができ、搬送コストの大幅な低減が期待できる。【選択図】  図１
2005096818.tif 000002
【特許請求の範囲】
【請求項１】
少なくとも、所定長さの紙管からなる複数本の支柱（１）と、これら支柱の下端部が抜き挿し自在に挿し込まれる下側通孔（２）を所定間隔毎に複数備えた紙製の底トレー（３）と、前記各支柱の上端部が抜き挿し自在に挿し込まれる上側通孔（４）を前記下側通孔と対応させて所定間隔毎に複数備えた紙製の蓋部材（５）を有し、
前記各支柱（１）の下端部を前記下側通孔（２）に挿し込んで前記底トレー（３）上に支柱（１）を複数立ち上げ、各支柱（１）に被梱包物（１００）を挿し通して多数積み重ねると共に、各支柱（１）の上端部が前記上側通孔（４）に挿し込まれるよう蓋部材（５）を覆い被せてパッケージ（Ａ）となすよう形成した孔開き物品用紙製梱包容器。
【請求項２】
前記パッケージ（Ａ）における各支柱（１）の中高部位に、前記各支柱が抜き挿し自在に挿し込まれる中間通孔（６）を有する紙製の中間板（７）を配設したことを特徴とする請求項１記載の孔開き物品用紙製梱包容器。
【請求項３】
前記底トレー（３）、蓋部材（５）、中間板（７）が多層段ボールからなることを特徴とする請求項２記載の孔開き物品用紙製梱包容器。
【請求項４】
前記パッケージ（Ａ）における外周部分を包装用フィルム（８）で覆ったことを特徴とする請求項１〜３の何れか１項記載の孔開き物品用紙製梱包容器。
【請求項５】
前記底トレー（３）が、四角形状の紙製トレー（３１）と、該紙製トレー内に嵌入する紙製底板（３２）と、該紙製底板の下面に固定した複数の紙製桁材（３３）からなり、
前記蓋部材（５）が、四角形状の紙製蓋（５１）と、該紙製蓋内に嵌入する紙製天板（５２）からなり、
前記紙製底板（３２）の所定複数箇所に前記下側通孔（２）を、前記紙製天板（５２）の所定複数箇所に前記上側通孔（４）を夫々対応させて設け、
前記底トレー（３）を紙製又は木製のパレット（１０）上に載置すると共に、該パレット（１０）から前記蓋部材（５）にわたってバンド掛け（１１）してなる請求項１〜４の何れか１項記載の孔開き物品用紙製梱包容器。
【請求項６】
前記被梱包物（１００）が自動車や二輪車用のディスクブレーク又は該ディスクブレーキのケースである請求項１〜５の何れか１項記載の孔開き物品用紙製梱包容器。
【発明の詳細な説明】
【技術分野】
【０００１】
本発明は紙製梱包容器に関し、詳しくは、自動車，二輪車などのディスクブレーク，ディスクブレーキ用のケース，タイヤのホイールキャップのような開口を有する物品（本願においては「孔開き物品」と称する）の搬送、保管に好適に用いられる、板紙，段ボール，多層段ボール等の紙材からなる紙製梱包容器に関する。
【背景技術】
【０００２】
従来、上記したような孔開き物品を搬送、保管するための容器として、例えば、紙製パレット上に上面を開口する段ボール箱からなる内側ケースを固定し、その段ボール箱内に紙製の角筒状仕切り板を多数立ち上げ、夫々の角筒状仕切り板内に被梱包物を多数枚積重ねた状態で収容し、下面を開口する段ボール箱からなる外側ケースを被せた後にバンド掛けしてなる紙製梱包容器が知られている。
【発明の開示】
【発明が解決しようとする課題】
【０００３】
上記した従来の紙製梱包容器は、夫々の角筒状仕切り板が、段ボールケースの内部空間を区画する仕切り壁としての機能と、多数枚重ねた被梱包物の周囲を覆う緩衝材としての機能を備えており、且つ、容器作製コストを低減するために夫々の角筒状仕切り板を内側ケースに対し固定していない。
すなわち、従来の紙製梱包容器は、前記角筒状仕切り板を内側ケース内に多数配置することで積み重ね状の被梱包物を保護するようになっており、そのため、内外二重の段ボールケースを用いてケースに所定の強度を持たせる必要がある。加えて、多数の角筒状仕切り板を必要とするので包材使用量が多くなり、結果として搬送コストが嵩むという問題があった。
また、夫々の角筒状仕切り板の中に被梱包物を一枚ずつ入れて積み重ねた梱包形態となるので、梱包時，開梱時の作業効率が低いという問題があった。
さらに、この紙製梱包容器を繰返し使用する場合、搬送後は段ボールケース内が空の状態で出荷元に送り返すため、無駄な輸送費がかかるという問題があった。
【０００４】
本発明はこのような従来事情に鑑みてなされたものであり、その目的とする処は、例えばディスクブレーキ等の孔の開いた物品（孔開き物品）を効率良く梱包，開梱することができると共に、包材の使用量が少なくて済み、且つ搬送後の分解を可能としてコンパクトな状態で返送可能な、新規な紙製梱包容器を提供することにある。
【課題を解決するための手段】
【０００５】
以上の目的を達成するために、本発明の請求項１に係る孔開き物品用紙製梱包容器は、少なくとも、所定長さの紙管からなる複数本の支柱（１）と、これら支柱の下端部が抜き挿し自在に挿し込まれる下側通孔（２）を所定間隔毎に複数備えた紙製の底トレー（３）と、前記各支柱の上端部が抜き挿し自在に挿し込まれる上側通孔（４）を前記下側通孔と対応させて所定間隔毎に複数備えた紙製の蓋部材（５）を有し、
前記各支柱（１）の下端部を前記下側通孔（２）に挿し込んで前記底トレー（３）上に支柱（１）を複数立ち上げ、各支柱（１）に被梱包物（１００）を挿し通して多数積み重ねると共に、各支柱（１）の上端部が上側通孔（４）に挿し込まれるよう蓋部材（５）を覆い被せてパッケージ（Ａ）となすよう形成したことを特徴とする。
【０００６】
本発明の請求項２に係る孔開き物品用紙製梱包容器は、前記パッケージ（Ａ）における各支柱（１）の中高部位に、前記各支柱が抜き挿し自在に挿し込まれる中間通孔（６）を有する紙製の中間板（７）を配設したことを特徴とする。
【０００７】
本発明の請求項３に係る孔開き物品用紙製梱包容器は、前記底トレー（３）、蓋部材（５）、中間板（７）が多層段ボールからなることを特徴とする。
【０００８】
本発明の請求項４に係る孔開き物品用紙製梱包容器は、前記パッケージ（Ａ）における外周部分を包装用フィルム（８）で覆ったことを特徴とする。
【０００９】
本発明の請求項５に係る孔開き物品用紙製梱包容器は、前記底トレー（３）が、四角形状の紙製トレー（３１）と、該紙製トレー内に嵌入する紙製底板（３２）と、該紙製底板の下面に固定した複数の紙製桁材（３３）からなり、
前記蓋部材（５）が、四角形状の紙製蓋（５１）と、該紙製蓋内に嵌入する紙製天板（５２）からなり、
前記紙製底板（３２）の所定複数箇所に前記下側通孔（２）を、前記紙製天板（５２）の所定複数箇所に前記上側通孔（４）を夫々対応させて設け、
前記底トレー（３）を紙製又は木製のパレット（１０）上に載置すると共に、該パレット（１０）から前記蓋部材（５）にわたってバンド掛け（１１）してなることを特徴とする。
【００１０】
本発明の請求項６に係る孔開き物品用紙製梱包容器は、前記被梱包物（１００）が自動車や二輪車用のディスクブレーク又は該ディスクブレーキのケースであることを特徴とする。
【発明の効果】
【００１１】
本発明に係る孔開き物品用紙製梱包容器は以上説明したように構成したので、下記に記載されるような効果を奏する。
【００１２】
（請求項１）
底トレー（３）の各下側通孔（２）に下端部を挿し込んで支柱（１）を複数本立ち上げ、夫々の支柱に被梱包物（１００）を挿し通した後、各支柱の上端部が上側通孔（４）に挿し込まれるよう蓋部材（５）を覆い被せれば、底トレー（３）と蓋部材（５）の間に立ち上がる複数の支柱（１）に挿し通した被梱包物としての孔開き物品が多段状に積み重なる状態で保持されたパッケージ（Ａ）となる。
よって、従来のこの種紙製梱包容器に比べ、包材の使用量を少なくしながら、より多数の孔開き物品を積み重ね状に保持して搬送、保管することができる。また、夫々の支柱（１）に孔開き物品を挿し通すだけで梱包が行え、開梱時は蓋部材（５）を外して各支柱（１）から孔開き物品を複数枚づつ抜き出せば良いので、梱包作業、開梱作業を効率良く行うことができる。また、搬送後は各支柱（１）、底トレー（３）、蓋部材（５）に分解してコンパクトな状態で出荷元等に返送することができ、搬送コストの大幅な低減が期待できる。
さらに、各構成要素が板紙や段ボール等の紙材からなるので、軽量であって、廃棄処理や再利用も容易であるなど、紙製包装容器としての利点はそのまま維持しながら、前述の利点を得ることができるなど、多くの効果を奏する。
【００１３】
（請求項２）
底トレー（３）と蓋部材（５）の間に立ち上がる夫々の支柱（１）に挿し通した孔開き物品が、多段状に積み重なる状態で保持されると共に、中高部位に配した中間板（７）により各支柱（１）の起立状態と支柱相互間の間隔が保持されるので、各支柱（１）を長尺なものとして、より多くの孔開き物品を梱包することができる。よって、請求項１による前述の効果をより実効あるものとし得る。
【００１４】
（請求項３）
底トレー（３）、蓋部材（５）、中間板（７）を多層段ボール製とすることで、繰返しの使用にも耐え得るリターナブル容器として提供することができる。
【００１５】
（請求項４）
底トレー（３）と蓋部材（５）の間に立ち上がる複数の支柱（１）に挿し通した被梱包物としての孔開き物品が、多段状に積み重なる状態で保持され、その周囲を包装用フィルム（８）で覆ったパッケージ（Ａ）となる。よって、請求項１〜３による前述の効果に加え、包材使用量を少なく維持しながら、包装用フィルムにより被梱包物を保護することができ、より信頼性の高い搬送、保管が可能になるなどの効果がある。
【００１６】
（請求項５）
簡単な構成で所定の強度を持った底トレー（３）と蓋部材（５）を提供すると共に、パレット（１０）と蓋部材（５）の間にわたってバンド掛け（１１）することで、複数の支柱（１）を底トレー（３）と蓋部材（５）の間で強固に支持し、各支柱に挿し通した孔開き物品が多段状に積み重なる状態を確実に維持することができ、より信頼性の高い搬送、保管が可能になるなどの効果がある。
【００１７】
（請求項６）
自動車や二輪車用のディスクブレーキ，該ディスクブレーキ用のケース等の孔開き物品を多数搬送、保管するための紙製梱包容器として好適に提供することができる。
【発明を実施するための最良の形態】
【００１８】
以下、本発明に係る紙製梱包容器の実施形態の一例を図面を参照して説明する。
本例の紙製梱包容器は、被梱包物１００を多数搬送、保管するためのもので、木製パレット１０上に底トレー３を載置し、該底トレー３上に複数本の支柱１を立ち上げ、夫々の支柱１に被梱包物としての孔開き物品１００を挿し通して多数積み重ねると共に、その中高部位に中間板７を配し、各支柱１の上端部が上側通孔４に挿し込まれるよう蓋部材５を覆い被せた後、底トレー３と蓋部材５の間の外周部分を包装用フィルム８で覆い、さらに、木製パレット１０から蓋部材５にわたってバンド掛け１１してパッケージＡを構成している。
【００１９】
本例において、被梱包物１００は、自動車，二輪車用のディスクブレーキや該ディスクブレーキ用のケース等の孔開き物品であり、支柱１は、その被梱包物１００の開口１０１に遊嵌される外径を備えた所定長さの紙管からなる。
【００２０】
底トレー３は、四角形状の紙製トレー３１と、その紙製トレー３１内に嵌入状に挿入される紙製底板３２と、その紙製底板３２の下面に固定した複数の紙製桁材３３と、各紙製桁材３３の下面に固定した紙製基板３４からなり、これら各要素３１〜３４は二層又は三層の多層段ボールにより形成されている。
紙製トレー３１は図示では方形枠状であるが、その底部を塞いだトレー状としても良い。
紙製底板３２と紙製基板３４には、支柱１の下端部が抜き差し自在に挿入される下側通孔２，２’が、紙製桁材３３の配設位置を避けて所定複数箇所に形成されている。
紙製桁材３３は、例えば段ボール板を所定数貼り合せて柱状に形成したものなど、この種分野において公知のものを用いることができる。
【００２１】
蓋部材５は、四角形状の紙製蓋５１と、この紙製蓋５１内に嵌入状に挿入される紙製天板５２からなり、これら各要素５１，５２は二層又は三層の多層段ボールにより形成されている。
紙製天板５２には、支柱１の上端部が抜き差し自在に挿入される上側通孔４が、前記した下側通孔２，２’と対応する所定複数箇所に形成されている。
【００２２】
中間板７は、前記した紙製底板３２、紙製天板５２等と同じように形成された多層段ボール板で、支柱１が抜き差し自在に挿入される中間通孔６が、前記した下側通孔２，２’、上側通孔４と対応する所定複数箇所に形成されている。
【００２３】
木製パレット１０は、図示するように縦横の杆材を井桁状に固定したものや、その他、この種分野において公知のものを用いることができ、紙製パレットとすることも可能である。
包装用フィルム８も、この種分野において一般に使用されるもので良いが、耐久性やコスト等を考慮すると、ストレッチフィルムを用いることが好ましい。尚、包装用フィルム８に代えて、紙製の包材を用いることも可能である。
【００２４】
このような構成になる本例の紙製梱包容器は、図１に示すように、木製パレット１０上に載置した紙製トレー３１内に、接着剤等で一体化された紙製底板３２，紙製桁材３３，紙製基板３３を嵌入状に挿入した後、下側通孔２，２に下端部を挿し込んで支柱１を複数本立ち上げ、夫々の支柱１に被梱包物１００を所定数挿し通し、上下に重なる被梱包物１００間に合紙１０２を介在させると共に、中高部位に中間板７を配置させ、さらに、各支柱１の上端部が上側通孔４に挿し込まれるよう、紙製天板５２、紙製蓋５１を上から被せた後、ストレッチフィルム８を周囲に捲き付け、木製パレット１０から蓋部材５にわたってバンド掛け１１をすることで、図２，図３に示すように、底トレー３と蓋部材５の間に立ち上がる各支柱１に挿し通した被梱包物１００が多段状に積み重なる状態で保持されたパッケージＡとなり、この状態で搬送、保管を行う。
【００２５】
開梱時は、バンド掛け１１、ストレッチフィルム８、紙製蓋５１、紙製天板５２を順に外した後、各支柱１から被梱包物１００を複数枚づつ取り出すことができる。
全ての被梱包物１００を取り出したら、図４に示すように、各支柱１を底トレー３から抜いた後、中間板７、紙製天板５２、紙製蓋５１を底トレー３上に載置してバンド掛け１１し、各支柱１も束ねてバンド掛けするなどしたコンパクトな状態で出荷元等に返送し、繰返し使用することができる。
所定回数使用した後は、容易に廃棄処理、再利用をすることができる。
【００２６】
以上、本発明に係る紙製梱包容器の実施形態の一例を図面を参照して説明したが、本発明はこれに限定されず、特許請求範囲の各請求項に記載された技術的思想の範疇において種々の変更が可能であることは言うまでもない。
【図面の簡単な説明】
【００２７】
【図１】本発明に係る紙製包装容器の実施形態の一例を示す分解斜視図。
【図２】図１に示す紙製包装容器の使用状態を示す斜視図。
【図３】図１に示す紙製包装容器の縦断正面図。
【図４】図１に示す紙製包装容器の分解状態を示す斜視図。
【符号の説明】
【００２８】
Ａ：パッケージ
１：支柱（紙管）
２：下側通孔
３：底トレー
３１：紙製トレー
３２：紙製底板
３３：紙製桁材
４：上側通孔
５：蓋部材
５１：紙製蓋
５２：紙製天板
６：中間通孔
７：中間板
８：ストレッチフィルム（包装用フィルム）
１０：木製パレット
１１：バンド掛け
１００：被梱包物（孔開き物品）
【図１】
2005096818.tif 000003
【図２】
2005096818.tif 000004
【図３】
2005096818.tif 000005
【図４】
2005096818.tif 000006